(57)【要約】複数のディスプレイパネル上に情報を表示するための技術が説明されている。マルチ視点の外観は、ディスプレイパネル間のギャップに対応する故に表示されないだろう情報を表示するために使用されることができる。マルチ視点の外観は、或る視点では表示されない情報が別の視点では表示されるように、提供されることができる。
2013510342.tif 000002
【特許請求の範囲】
【請求項１】
第１のディスプレイパネルと、該第１のディスプレイパネルから第１の距離に位置している第２のディスプレイパネルと、に通信可能に結合されるように構成されたプロセッサを備えるシステムであって、
前記プロセッサは、
前記第１のディスプレイパネル及び前記第２のディスプレイパネルを使用して、前記第１のディスプレイパネルの少なくとも一部にまたがり且つ前記第２のディスプレイパネルの少なくとも一部にまたがるディスプレイ領域上に、一組の情報の第１の部分を表示する、
ように構成され、
前記一組の情報は、境界寸法を持ち、及び、
前記第１の部分は、前記第１のパネルと前記第２のパネルとの間のギャップ領域に対応する前記一組の情報の第２の部分を除外しており、前記第１の部分は、前記境界寸法を持つ、
システム。
【請求項２】
前記プロセッサは、前記第１のディスプレイパネル及び前記第２のディスプレイパネルを使用して、前記第１のディスプレイパネルの少なくとも一部及び前記第２のディスプレイパネルの少なくとも一部にまたがる前記ディスプレイ領域上に、前記一組の情報の第３の部分を表示するようにさらに備えられ、
前記一組の情報の前記第３の部分は、前記境界寸法を持つ前記第３の部分を有する、前記第１のディスプレイパネルと前記第２ディスプレイパネルとの間の前記ギャップ領域に対応する前記一組の情報の第４の部分を除外し、及び、
前記一組の情報の前記第４の部分及び前記第２部分は、前記一組の情報の少なくとも部分的に異なる部分にある、
請求項１のシステム。
【請求項３】
前記プロセッサは、
前記第１のディスプレイパネル及び前記第２のディスプレイパネルを使用して、前記第１の部分を表示している間は第１のグラフィックを表示することであって、前記第１のグラフィックは、第１の視点を示す、第１のグラフィックを表示することと、及び、
前記第１のディスプレイパネル及び前記第２のディスプレイパネルを使用して、前記第３の部分を表示している間は第２のグラフィックを表示することであって、前記第２のグラフィックは、前記第１の視点とは異なる第２の視点を示す、第２のグラフィックを表示することと、
を行うようにさらに構成される、請求項２のシステム。
【請求項４】
前記第１の部分を表示している間に表示される前記第１のグラフィックは、前記第１の視点の外観を提供し、及び、
前記第３の部分を表示している間に表示される前記第２のグラフィックは、前記第２の視点の外観を提供する、
請求項３のシステム。
【請求項５】
前記第４の部分及び前記第２の部分は、前記一組の情報の排他的に異なる部分であり、
前記第３の部分は、前記第２の部分の情報の内の少なくとも一部を備え、及び、
前記第４の部分は、前記第１の部分の情報の内の少なくとも一部を備える、
請求項２のシステム。
【請求項６】
前記プロセッサに通信可能に結合された視点トリガデバイスをさらに備え、
前記視点トリガデバイスは、前記プロセッサへの指示を提供するように構成され、及び、
前記プロセッサは、前記一組の情報の前記第１の部分を表示するか、前記一組の情報の前記第３の部分を表示するか、を判断するために、前記指示を使用するように構成される、
請求項２のシステム。
【請求項７】
前記視点トリガデバイスは、加速度計である、請求項６のシステム。
【請求項８】
前記視点トリガデバイスは、網膜追跡デバイス、タッチパッド、タッチスクリーン、キーボード、またはボタンの少なくとも一つを備える、請求項６のシステム。
【請求項９】
前記プロセッサは、
前記第１のディスプレイパネル、前記第２のディスプレイパネル、及び前記第２のディスプレイパネルから第２の距離に位置する第３のディスプレイパネルにまたがる前記ディスプレイ領域上に前記第１の部分を表示することであって、前記第２の部分はさらに前記第２ディスプレイパネルと前記第３のパネルとの間の第２のギャップ領域に対応する情報を備える、前記第１の部分を表示することと、及び、
前記第１のディスプレイパネル、前記第２のディスプレイパネル、及び前記第３のディスプレイパネルにまたがる前記ディスプレイ領域上に前記第３の部分を表示することであって、前記第４の部分はさらに前記第２ディスプレイパネルと前記第３のパネルとの間の前記第２のギャップ領域に対応する情報を備える、前記第３の部分を表示することと、
を行うようにさらに構成される、請求項２のシステム。
【請求項１０】
前記プロセッサは、
入力を受信し、
前記入力を使用して、前記第１のディスプレイパネルから前記第２のディスプレイパネルまでの前記第１の距離を決定し、及び、
前記第１の距離に基づいて、前記第３の部分の情報及び前記第４の部分の情報を決定する、
ようにさらに構成される、請求項２のシステム。
【請求項１１】
前記システムは、移動体通信デバイスを備え、前記第１のディスプレイパネルが、前記第２ディスプレイパネルと同一平面の第１の位置から、前記第２ディスプレイパネルを覆う第２の位置へ移動することができるように、前記第１及び第２のディスプレイパネルが移動可能に接続される、請求項１のシステム。
【請求項１２】
情報を表示するための方法であって、
第１のディスプレイパネル及び第２のディスプレイパネルを使用して、前記第１のディスプレイパネルの少なくとも一部にまたがり且つ前記第２のディスプレイパネルの少なくとも一部にまたがるディスプレイ領域上に、一組の情報の第１の部分を表示することであって、前記第１のディスプレイパネルは前記第２のディスプレイパネルから第１の距離に配置される、一組の情報の第１の部分を表示すること、
を備え、
前記一組の情報は、境界寸法を持ち、及び、
前記第１の部分は、前記第１のパネルと前記第２のパネルとの間のギャップ領域に対応する前記一組の情報の第２の部分を除外しており、前記第１の部分は、前記境界寸法を持つ、
方法。
【請求項１３】
前記第１のディスプレイパネル及び前記第２のディスプレイパネルを使用して、前記第１のディスプレイパネルの少なくとも一部及び前記第２のディスプレイパネルの少なくとも一部にまたがる前記ディスプレイ領域上に、前記一組の情報の第３の部分を表示すること、
をさらに備え、
前記一組の情報の前記第３の部分は、前記境界寸法を持つ前記第３の部分を有する、前記第１のディスプレイパネルと前記第２ディスプレイパネルとの間の前記ギャップ領域に対応する前記一組の情報の第４の部分を除外し、及び、
前記一組の情報の前記第４の部分及び前記第２部分は、前記一組の情報の少なくとも部分的に異なる部分にある、
請求項１２の方法。
【請求項１４】
前記第１のディスプレイパネル及び前記第２のディスプレイパネルを使用して、前記第１の部分を表示している間は第１のグラフィックを表示することであって、前記第１のグラフィックは、第１の視点を示す、第１のグラフィックを表示することと、及び、
前記第１のディスプレイパネル及び前記第２のディスプレイパネルを使用して、前記第３の部分を表示している間は第２のグラフィックを表示することであって、前記第２のグラフィックは、前記第１の視点とは異なる第２の視点を示す、第２のグラフィックを表示することと、
をさらに備える、請求項１３の方法。
【請求項１５】
前記第１のグラフィックは、前記第１の部分を表示することが前記第１の視点の外観を提供している間、表示され、及び、
前記第２のグラフィックは、前記第３の部分を表示することが前記第２の視点の外観を提供している間、表示される、
請求項１３の方法。
【請求項１６】
前記第４の部分及び前記第２の部分は、排他的に異なる部分であり、
前記第３の部分は、前記第２の部分の情報の内の少なくとも一部を備え、及び、
前記第４の部分は、前記第１の部分の情報の内の少なくとも一部を備える、
請求項１３の方法。
【請求項１７】
視点トリガデバイスからの指示を受信することと、及び、
前記指示に基づいて、前記第３の部分を選択することと、
をさらに備える、請求項１３の方法。
【請求項１８】
加速度を検出することと、及び、
前記加速度の方向及び大きさを示す指示を提供することと、
をさらに備える、請求項１７の方法。
【請求項１９】
前記第１のディスプレイパネル、前記第２のディスプレイパネル、及び前記第２のディスプレイパネルから第２の距離に位置する第３のディスプレイパネルにまたがる前記ディスプレイ領域上に前記第１の部分を表示することであって、前記第２の部分はさらに前記第２ディスプレイパネルと前記第３のパネルとの間の第２のギャップ領域に対応する情報を備える、前記第１の部分を表示することと、及び、
前記第１のディスプレイパネル、前記第２のディスプレイパネル、及び前記第３のディスプレイパネルにまたがる前記ディスプレイ領域上に前記第３の部分を表示することであって、前記第４の部分はさらに前記第２ディスプレイパネルと前記第３のパネルとの間の前記第２のギャップ領域に対応する情報を備える、前記第３の部分を表示することと、
をさらに備える、請求項１３の方法。
【請求項２０】
入力を受信することと、
前記入力を使用して、前記第１のディスプレイパネルから前記第２のディスプレイパネルまでの前記第１の距離を決定することと、及び、
前記第１の距離を使用して、前記第３の部分の情報及び前記第４の部分の情報を決定することと、
をさらに備える、請求項１３の方法。
【請求項２１】
非一時的なプロセッサ可読媒体上に存在し、プロセッサに、
第１のディスプレイパネル及び第２のディスプレイパネルを使用して、前記第１のディスプレイパネルの少なくとも一部にまたがり且つ前記第２のディスプレイパネルの少なくとも一部にまたがるディスプレイ領域上に、一組の情報の第１の部分を表示することであって、前記第１のディスプレイパネルは前記第２のディスプレイパネルから第１の距離に配置される、一組の情報の第１の部分を表示することと、
を行わせるプロセッサ可読命令を備える、コンピュータプログラム製品であって、
前記一組の情報は、境界寸法を持ち、及び、
前記第１の部分は、前記第１のパネルと前記第２のパネルとの間のギャップ領域に対応する前記一組の情報の第２の部分を除外しており、前記第１の部分は、前記境界寸法を持つ、
コンピュータプログラム製品。
【請求項２２】
前記プロセッサに、前記第１のディスプレイパネル及び前記第２のディスプレイパネルを使用して、前記第１のディスプレイパネルの少なくとも一部及び前記第２のディスプレイパネルの少なくとも一部にまたがる前記ディスプレイ領域上に、前記一組の情報の第３の部分を表示させるように構成されたプロセッサ可読命令をさらに備え、
前記一組の情報の前記第３の部分は、前記境界寸法を持つ前記第３の部分を有する、前記第１のディスプレイパネルと前記第２ディスプレイパネルとの間の前記ギャップ領域に対応する前記一組の情報の第４の部分を除外し、及び、
前記一組の情報の前記第４の部分及び前記第２部分は、前記一組の情報の少なくとも部分的に異なる部分にある、
請求項２１のコンピュータプログラム製品。
【請求項２３】
前記プロセッサに、
前記第１の部分を表示している間は第１のグラフィックを表示することであって、前記第１のグラフィックは、第１の視点を示す、第１のグラフィックを表示することと、及び、
前記第３の部分を表示している間は第２のグラフィックを表示することであって、前記第２のグラフィックは、前記第１の視点とは異なる第２の視点を示す、第２のグラフィックを表示することと、
を行わせるように構成されたプロセッサ可読命令をさらに備える、請求項２２のコンピュータプログラム製品。
【請求項２４】
前記第１の部分を表示している間に表示される前記第１のディスプレイグラフィックは、前記第１の視点の外観を提供し、及び、
前記第３の部分を表示している間に表示される前記第２のグラフィックは、前記第２の視点の外観を提供する、
請求項２３のコンピュータプログラム製品。
【請求項２５】
前記一組の情報の前記第４の部分及び前記一組の情報の前記第２の部分は、排他的に異なる部分であり、
前記一組の情報の前記第３の部分は、前記一組の情報の前記第２の部分の情報の内の少なくとも一部を備え、及び、
前記一組の情報の前記第４の部分は、前記一組の情報の前記第１の部分の情報の内の少なくとも一部を備える、
請求項２２のコンピュータプログラム製品。
【請求項２６】
前記プロセッサに、
前記第１のディスプレイパネル、前記第２のディスプレイパネル、及び前記第２のディスプレイパネルから第２の距離に位置する第３のディスプレイパネルにまたがる前記ディスプレイ領域上に前記第１の部分を表示することであって、前記第２の部分はさらに前記第２ディスプレイパネルと前記第３のパネルとの間の第２のギャップ領域に対応する情報を備える、前記第１の部分を表示することと、及び、
前記第１のディスプレイパネル、前記第２のディスプレイパネル、及び前記第３のディスプレイパネルにまたがる前記ディスプレイ領域上に前記第３の部分を表示することであって、前記第４の部分はさらに前記第２ディスプレイパネルと前記第３のパネルとの間の前記第２のギャップ領域に対応する情報を備える、前記第３の部分を表示することと、
を行わせるように構成されたプロセッサ可読命令をさらに備える、請求項２２のコンピュータプログラム製品。
【請求項２７】
前記プロセッサに、
入力を受信することと、
前記入力を使用して、前記第１のディスプレイパネルから前記第２のディスプレイパネルまでの前記第１の距離を決定することと、及び、
前記第１の距離に基づいて、前記第３の部分の情報及び前記第４の部分の情報を決定することと、
を行わせるように構成されたプロセッサ可読命令をさらに備える、請求項２２のコンピュータプログラム製品。
【請求項２８】
第１のディスプレイパネルの少なくとも一部にまたがり且つ第２のディスプレイパネルの少なくとも一部にまたがるディスプレイ領域上に、一組の情報の第１の部分を表示するための手段であって、前記第１のディスプレイパネルは前記第２のディスプレイパネルから第１の距離に配置される、一組の情報の第１の部分を表示するための手段、
を備え、
前記一組の情報は、境界寸法を持ち、及び、
前記第１の部分は、前記第１のパネルと前記第２のパネルとの間のギャップ領域に対応する前記一組の情報の第２の部分を除外しており、前記第１の部分は、前記境界寸法を持つ、
システム。
【請求項２９】
前記第１のディスプレイパネルの少なくとも一部及び前記第２のディスプレイパネルの少なくとも一部にまたがる前記ディスプレイ領域上に、前記一組の情報の第３の部分を表示するための手段、
をさらに備え、
前記一組の情報の前記第３の部分は、前記境界寸法を持つ前記第３の部分を有する、前記第１のディスプレイパネルと前記第２ディスプレイパネルとの間の前記ギャップ領域に対応する前記一組の情報の第４の部分を除外し、及び、
前記一組の情報の前記第４の部分及び前記第２部分は、前記一組の情報の少なくとも部分的に異なる部分にある、
請求項２８のシステム。
【請求項３０】
前記一組の情報の前記第１の部分を表示している間は第１のグラフィックを表示するための手段であって、前記第１のグラフィックは、第１の視点を示す、第１のグラフィックを表示するための手段と、及び、
前記一組の情報の前記第３の部分を表示している間は第２のグラフィックを表示するための手段であって、前記第２のグラフィックは、前記第１の視点とは異なる第２の視点を示す、第２のグラフィックを表示するための手段と、
をさらに備える、請求項２９のシステム。
【請求項３１】
前記第１の部分を表示している間に表示される前記第１のディスプレイグラフィックは、前記第１の視点の外観を提供し、及び、
前記第３の部分を表示している間に表示される前記第２のグラフィックは、前記第２の視点の外観を提供する、
請求項３０のシステム。
【請求項３２】
前記第４の部分及び前記第２の部分は、排他的に異なる部分であり、
前記第３の部分は、前記第２の部分の情報の内の少なくとも一部を備え、及び、
前記第４の部分は、前記第１の部分の情報の内の少なくとも一部を備える、
請求項２９のシステム。
【請求項３３】
前記一組の情報の前記第１の部分を表示するか、前記一組の情報の前記第３の部分を表示するか、を判断するための手段をさらに備える、請求項２９のシステム。
【請求項３４】
前記第１のディスプレイパネル、前記第２のディスプレイパネル、及び前記第２のディスプレイパネルから第２の距離に位置する第３のディスプレイパネルにまたがる前記ディスプレイ領域上に前記第１の部分を表示するための手段であって、前記第２の部分はさらに前記第２ディスプレイパネルと前記第３のパネルとの間の第２のギャップ領域に対応する情報を備える、前記第１の部分を表示するための手段と、及び、
前記第１のディスプレイパネル、前記第２のディスプレイパネル、及び前記第３のディスプレイパネルにまたがる前記ディスプレイ領域上に前記第３の部分を表示するための手段であって、前記第４の部分はさらに前記第２ディスプレイパネルと前記第３のパネルとの間の前記第２のギャップ領域に対応する情報を備える、前記第３の部分を表示するための手段と、
をさらに備える、請求項２９のシステム。
【請求項３５】
入力を受信するための手段と、
前記入力を使用して、前記第１のディスプレイパネルから前記第２のディスプレイパネルまでの前記第１の距離を決定するための手段と、及び、
前記第１の距離を使用して、前記第３の部分の情報及び前記第４の部分の情報を決定するための手段と、
をさらに備える、請求項２９のシステム。
【請求項３６】
前記システムは、移動体通信デバイスを備える、請求項２８のシステム。
【請求項３７】
情報を表示するように構成された第１のディスプレイパネルと、
前記第１のディスプレイパネルから距離を置いて配置された、情報を表示するように構成された第２のディスプレイパネルと、
前記第１のディスプレイパネル及び前記第２のディスプレイパネルに通信可能に結合されたプロセッサと、
を備え、前記プロセッサは、
前記第１のディスプレイパネル及び前記第２のディスプレイパネルを使用して、前記第１のディスプレイパネルの少なくとも一部にまたがり且つ前記第２のディスプレイパネルの少なくとも一部にまたがるディスプレイ領域上に、一組の情報の第１の部分を表示する、
ように構成され、
前記一組の情報は、境界寸法を持ち、及び、
前記第１の部分は、前記第１のパネルと前記第２のパネルとの間のギャップ領域に対応する前記一組の情報の第２の部分を除外しており、前記第１の部分は、前記境界寸法を持つ、
マルチディスプレイシステム。
【請求項３８】
前記プロセッサは、
前記第１のディスプレイパネル及び前記第２のディスプレイパネルを使用して、前記第１のディスプレイパネルの少なくとも一部及び前記第２のディスプレイパネルの少なくとも一部にまたがる前記ディスプレイ領域上に、前記一組の情報の第３の部分を表示するようにさらに構成され、
前記一組の情報の前記第３の部分は、前記境界寸法を持つ前記第３の部分を有する、前記第１のディスプレイパネルと前記第２ディスプレイパネルとの間の前記ギャップ領域に対応する前記一組の情報の第４の部分を除外し、及び、
前記一組の情報の前記第４の部分及び前記第２部分は、前記一組の情報の少なくとも部分的に異なる部分にある、
請求項３７のマルチパネルディスプレイシステム。
【請求項３９】
前記プロセッサは、
前記一組の情報の前記第１の部分を表示している間は第１のグラフィックを表示することであって、前記第１のグラフィックは、第１の視点を示す、第１のグラフィックを表示することと、及び、
前記一組の情報の前記第３の部分を表示している間は第２のグラフィックを表示することであって、前記第２のグラフィックは、前記第１の視点とは異なる第２の視点を示す、第２のグラフィックを表示することと、
を行うようにさらに構成される、請求項３８のマルチパネルディスプレイシステム。
【請求項４０】
前記第１の部分を表示している間に表示される前記第１のディスプレイグラフィックは、前記第１の視点の外観を提供し、及び、
前記第３の部分を表示している間に表示される前記第２のグラフィックは、前記第２の視点の外観を提供する、
請求項３９のマルチパネルディスプレイシステム。
【請求項４１】
前記プロセッサに通信可能に結合された視点トリガデバイスをさらに備え、
前記視点トリガデバイスは、前記プロセッサへの指示を提供するように構成され、及び、
前記プロセッサは、前記一組の情報の前記第１の部分を表示するか、前記一組の情報の前記第３の部分を表示するか、を判断するために、前記指示を使用するように構成される、
請求項３８のマルチパネルディスプレイシステム。
【請求項４２】
前記視点トリガデバイスは、加速度計、網膜追跡デバイス、タッチパッド、タッチスクリーン、キーボード、またはボタンの少なくとも一つを備える、請求項４１のマルチパネルディスプレイシステム。
【請求項４３】
情報を表示するように構成された第３のディスプレイパネルをさらに備え、前記プロセッサは、
前記第１のディスプレイパネル、前記第２のディスプレイパネル、及び第３のディスプレイパネルにまたがる前記ディスプレイ領域上に前記第１の部分を表示することであって、前記第２の部分はさらに前記第２ディスプレイパネルと前記第３のパネルとの間の第２のギャップ領域に対応する情報を備える、前記第１の部分を表示することと、及び、
前記第１のディスプレイパネル、前記第２のディスプレイパネル、及び前記第３のディスプレイパネルにまたがる前記ディスプレイ領域上に前記第３の部分を表示することであって、前記第４の部分はさらに前記第２ディスプレイパネルと前記第３のパネルとの間の前記第２のギャップ領域に対応する情報を備える、前記第３の部分を表示することと、
を行うようにさらに構成される、請求項３８のマルチパネルディスプレイシステム。
【請求項４４】
前記システムは、移動体通信デバイスを備え、前記第１のディスプレイパネル、前記第２のディスプレイパネル、及び前記第３のディスプレイパネルは、同一平面関係に配置されるように構成される、請求項４３のマルチパネルディスプレイシステム。
【請求項４５】
前記第１のディスプレイパネルと前記第２のディスプレイパネルとの間の前記距離の少なくとも一部を占める、前記第１及び第２のディスプレイパネルそれぞれの、第１及び第２のハウジングをさらに備える、請求項３７のマルチパネルディスプレイシステム。
【請求項４６】
前記第１のディスプレイパネル及び前記第２のディスプレイパネルに加えて、複数のディスプレイパネルをさらに備える、請求項３７のマルチパネルディスプレイシステム。
【請求項４７】
前記第１のディスプレイパネル、前記第２のディスプレイパネル、及び前記複数のディスプレイパネルは、一列又は２次元配列の何れかで配置される、請求項４６のマルチパネルディスプレイシステム。
【発明の詳細な説明】
【背景技術】
【０００１】
［関連出願の相互参照］
本出願は、２００９年１１月９日に出願され、「Display of Images Across Multiple Screens（マルチスクリーンにわたった画像の表示）」と題された、米国仮出願第６１／２５９，３２９号、代理人整理番号０９３４５９Ｐ１号、の優先権を主張し、その開示は、その全体が参照により本明細書に組み込まれる。
【０００２】
［背景］
マルチディスプレイパネルは、電子デバイスのユーザに増大された機能性を提供するために、しばしば使用される。例えば、ユーザは、コンピュータと接続された複数台のモニタを持つことができる。このような配置は、ユーザが複数のアイテムを同じ時間に及び／または複数台のモニタにまたがった情報を見ることを許すことができる。通常は、複数台のモニタのディスプレイパネル同士は、直接隣接はしていない。例えば、２つのモニタ同士がぴったりと隣接配置されている場合でも、各モニタは通常、そのディスプレイパネルの周囲に枠を持っている。したがって、このような２つのモニタがフレームが触れるようにぴったりと隣接して配置されたとき、２つのディスプレイパネルの間には情報が表示されない領域がある。モニタが離れれば離れるほど、情報が表示されないこの領域は大きくなっていく。
【０００３】
通常、情報が表示されることができないディスプレイパネル間の領域は、ディスプレイパネルを駆動する電子デバイスでは無視される。したがって、情報が第１のディスプレイパネルの境界を越えて第２のディスプレイパネルに向かって移動されると、当該情報は、第２のディスプレイパネル上に表示されるようになる。これは、視覚的な歪みになることがある。第１及び第２のディスプレイスクリーンの両方にまたがって表示されるグラフィックやテキストなどの情報は、第１のディスプレイパネルと第２のディスプレイパネルとの間の無視されたギャップのため変えられたその境界寸法（boundary dimensions）を持つことができる。例えば、単一のディスプレイパネルに表示されたときに２インチ（約５．０８ｃｍ）幅であるグラフィックは、そのグラフィックがディスプレイパネル間に１インチ（約２．５４ｃｍ）幅のギャップを持つ２つのディスプレイパネルにまたがって表示されるときには、３インチ（約７．６２ｃｍ）幅であるように見えてしまうことができる。このような歪みはまた、１つよりも多い他の数のディスプレイパネルが存在する場合にも発生することができる。歪みは、ディスプレイパネルが、垂直に整列されているかどうか、水平に整列されているかどうか、或いは任意に配置されているかどうかにかかわらず、発生することができる。
【発明の概要】
【０００４】
システムの一例は、第１のディスプレイパネルと、該第１のディスプレイパネルから第１の距離に位置している第２のディスプレイパネルと、に通信可能に結合されるように構成されたプロセッサを備え、上記プロセッサは、上記第１のディスプレイパネル及び上記第２のディスプレイパネルを使用して、上記第１のディスプレイパネルの少なくとも一部にまたがり且つ上記第２のディスプレイパネルの少なくとも一部にまたがるディスプレイ領域上に、一組の情報の第１の部分を表示するように構成され、上記一組の情報は、境界寸法を持ち、及び、上記第１の部分は、上記第１のパネルと上記第２のパネルとの間のギャップ領域に対応する上記一組の情報の第２の部分を除外しており、上記第１の部分は、上記境界寸法を持つ。
【０００５】
そのようなシステムの実装は、以下の特徴の一つ以上を含むことができる。上記プロセッサは、上記第１のディスプレイパネル及び上記第２のディスプレイパネルを使用して、上記第１のディスプレイパネルの少なくとも一部及び上記第２のディスプレイパネルの少なくとも一部にまたがる上記ディスプレイ領域上に、上記一組の情報の第３の部分を表示するようにさらに構成され、上記一組の情報の上記第３の部分は、上記境界寸法を持つ上記第３の部分を有する、上記第１のディスプレイパネルと上記第２ディスプレイパネルとの間の上記ギャップ領域に対応する上記一組の情報の第４の部分を除外し、及び、上記一組の情報の上記第４の部分及び上記第２部分は、上記一組の情報の少なくとも部分的に異なる部分にある。上記プロセッサは、上記第１のディスプレイパネル及び上記第２のディスプレイパネルを使用して、上記第１の部分を表示している間は第１のグラフィックを表示することであって、上記第１のグラフィックは、第１の視点を示す、第１のグラフィックを表示することと、及び、上記第１のディスプレイパネル及び上記第２のディスプレイパネルを使用して、上記第３の部分を表示している間は第２のグラフィックを表示することであって、上記第２のグラフィックは、上記第１の視点とは異なる第２の視点を示す、第２のグラフィックを表示することと、を行うようにさらに構成される。上記第１の部分を表示している間に表示される上記第１のグラフィックは、上記第１の視点の外観（appearance）を提供し、及び、上記第３の部分を表示している間に表示される上記第２のグラフィックは、上記第２の視点の外観を提供する。上記第４の部分及び上記第２の部分は、上記一組の情報の排他的に異なる部分であり、上記第３の部分は、上記第２の部分の情報の内の少なくとも一部を備え、及び、上記第４の部分は、上記第１の部分の情報の内の少なくとも一部を備える。
【０００６】
そのようなシステムの実装はまた、或いは代わりに、以下の特徴の一つ以上を含むことができる。上記システムは、上記プロセッサに通信可能に結合された視点トリガデバイスをさらに含み、上記視点トリガデバイスは、上記プロセッサへの指示を提供するように構成され、及び、上記プロセッサは、上記一組の情報の上記第１の部分を表示するか、上記一組の情報の上記第３の部分を表示するか、を判断するために、上記指示を使用するように構成される。上記視点トリガデバイスは、加速度計である。上記視点トリガデバイスは、網膜追跡デバイス、タッチパッド、タッチスクリーン、キーボード、またはボタンの少なくとも一つを備える。
【０００７】
そのようなシステムの実装はまた、或いは代わりに、以下の特徴の一つ以上を含むことができる。上記プロセッサは、上記第１のディスプレイパネル、上記第２のディスプレイパネル、及び上記第２のディスプレイパネルから第２の距離に位置する第３のディスプレイパネルにまたがる上記ディスプレイ領域上に上記第１の部分を表示することであって、上記第２の部分はさらに上記第２ディスプレイパネルと上記第３のパネルとの間の第２のギャップ領域に対応する情報を備える、上記第１の部分を表示することと、及び、上記第１のディスプレイパネル、上記第２のディスプレイパネル、及び上記第３のディスプレイパネルにまたがる上記ディスプレイ領域上に上記第３の部分を表示することであって、上記第４の部分はさらに上記第２ディスプレイパネルと上記第３のパネルとの間の上記第２のギャップ領域に対応する情報を備える、上記第３の部分を表示することと、を行うようにさらに構成される。上記プロセッサは、入力を受信し、上記入力を使用して、上記第１のディスプレイパネルから上記第２のディスプレイパネルまでの上記第１の距離を決定し、及び、上記第１の距離に基づいて、上記第３の部分の情報及び上記第４の部分の情報を決定する、ようにさらに構成される。上記システムは、移動体通信デバイスを備え、上記第１のディスプレイパネルが、上記第２ディスプレイパネルと同一平面の第１の位置から、上記第２ディスプレイパネルを覆う第２の位置へ移動することができるように、上記第１及び第２のディスプレイパネルが移動可能に接続される。
【０００８】
情報を表示するための方法の一例は、第１のディスプレイパネル及び第２のディスプレイパネルを使用して、上記第１のディスプレイパネルの少なくとも一部にまたがり且つ上記第２のディスプレイパネルの少なくとも一部にまたがるディスプレイ領域上に、一組の情報の第１の部分を表示することであって、上記第１のディスプレイパネルは上記第２のディスプレイパネルから第１の距離に配置される、一組の情報の第１の部分を表示することを含み、上記一組の情報は、境界寸法を持ち、及び、上記第１の部分は、上記第１のパネルと上記第２のパネルとの間のギャップ領域に対応する上記一組の情報の第２の部分を除外しており、上記第１の部分は、上記境界寸法を持つ。
【０００９】
そのようなシステムの実装は、以下の特徴の一つ以上を含むことができる。上記方法は、上記第１のディスプレイパネル及び上記第２のディスプレイパネルを使用して、上記第１のディスプレイパネルの少なくとも一部及び上記第２のディスプレイパネルの少なくとも一部にまたがる上記ディスプレイ領域上に、上記一組の情報の第３の部分を表示することをさらに含み、上記一組の情報の上記第３の部分は、上記境界寸法を持つ上記第３の部分を有する、上記第１のディスプレイパネルと上記第２ディスプレイパネルとの間の上記ギャップ領域に対応する上記一組の情報の第４の部分を除外し、及び、上記一組の情報の上記第４の部分及び上記第２部分は、上記一組の情報の少なくとも部分的に異なる部分にある。上記方法は、上記第１のディスプレイパネル及び上記第２のディスプレイパネルを使用して、上記第１の部分を表示している間は第１のグラフィックを表示することであって、上記第１のグラフィックは、第１の視点を示す、第１のグラフィックを表示することと、及び、上記第１のディスプレイパネル及び上記第２のディスプレイパネルを使用して、上記第３の部分を表示している間は第２のグラフィックを表示することであって、上記第２のグラフィックは、上記第１の視点とは異なる第２の視点を示す、第２のグラフィックを表示することと、をさらに含む。上記第１のグラフィックは、上記第１の部分を表示することが上記第１の視点の外観を提供している間、表示され、及び、上記第２のグラフィックは、上記第３の部分を表示することが上記第２の視点の外観を提供している間、表示される。上記第４の部分及び上記第２の部分は、排他的に異なる部分であり、上記第３の部分は、上記第２の部分の情報の内の少なくとも一部を備え、及び、上記第４の部分は、上記第１の部分の情報の内の少なくとも一部を備える。上記方法は、視点トリガデバイスからの指示を受信することと、及び、上記指示に基づいて、上記第３の部分を選択することと、をさらに含む。上記方法は、加速度を検出することと、及び、上記加速度の方向及び大きさを示す指示を提供することと、をさらに含む。上記方法は、上記第１のディスプレイパネル、上記第２のディスプレイパネル、及び上記第２のディスプレイパネルから第２の距離に位置する第３のディスプレイパネルにまたがる上記ディスプレイ領域上に上記第１の部分を表示することであって、上記第２の部分はさらに上記第２ディスプレイパネルと上記第３のパネルとの間の第２のギャップ領域に対応する情報を備える、上記第１の部分を表示することと、及び、上記第１のディスプレイパネル、上記第２のディスプレイパネル、及び上記第３のディスプレイパネルにまたがる上記ディスプレイ領域上に上記第３の部分を表示することであって、上記第４の部分はさらに上記第２ディスプレイパネルと上記第３のパネルとの間の上記第２のギャップ領域に対応する情報を備える、上記第３の部分を表示することと、をさらに含む。上記方法は、入力を受信することと、上記入力を使用して、上記第１のディスプレイパネルから上記第２のディスプレイパネルまでの上記第１の距離を決定することと、及び、上記第１の距離を使用して、上記第３の部分の情報及び上記第４の部分の情報を決定することと、をさらに含む。
【００１０】
非一時的なプロセッサ可読媒体上に存在するコンピュータプログラム製品の一例は、プロセッサに、第１のディスプレイパネル及び第２のディスプレイパネルを使用して、上記第１のディスプレイパネルの少なくとも一部にまたがり且つ上記第２のディスプレイパネルの少なくとも一部にまたがるディスプレイ領域上に、一組の情報の第１の部分を表示することであって、上記第１のディスプレイパネルは上記第２のディスプレイパネルから第１の距離に配置される、一組の情報の第１の部分を表示することと、を行わせるプロセッサ可読命令を含み、上記一組の情報は、境界寸法を持ち、及び、上記第１の部分は、上記第１のパネルと上記第２のパネルとの間のギャップ領域に対応する上記一組の情報の第２の部分を除外しており、上記第１の部分は、上記境界寸法を持つ。
【００１１】
そのようなコンピュータプログラム製品の実装は、以下の特徴の一つ以上を含むことができる。上記命令は、上記プロセッサに、上記第１のディスプレイパネル及び上記第２のディスプレイパネルを使用して、上記第１のディスプレイパネルの少なくとも一部及び上記第２のディスプレイパネルの少なくとも一部にまたがる上記ディスプレイ領域上に、上記一組の情報の第３の部分を表示させるように構成された命令をさらに含み、上記一組の情報の上記第３の部分は、上記境界寸法を持つ上記第３の部分を有する、上記第１のディスプレイパネルと上記第２ディスプレイパネルとの間の上記ギャップ領域に対応する上記一組の情報の第４の部分を除外し、及び、上記一組の情報の上記第４の部分及び上記第２部分は、上記一組の情報の少なくとも部分的に異なる部分にある。上記第１の部分を表示している間は第１のグラフィックを表示することであって、上記第１のグラフィックは、第１の視点を示す、第１のグラフィックを表示し、及び、上記第３の部分を表示している間は第２のグラフィックを表示することであって、上記第２のグラフィックは、上記第１の視点とは異なる第２の視点を示す、第２のグラフィックを表示する。上記第１の部分を表示している間に表示される上記第１のディスプレイグラフィックは、上記第１の視点の外観を提供し、及び、上記第３の部分を表示している間に表示される上記第２のグラフィックは、上記第２の視点の外観を提供する。上記一組の情報の上記第４の部分及び上記一組の情報の上記第２の部分は、排他的に異なる部分であり、上記一組の情報の上記第３の部分は、上記一組の情報の上記第２の部分の情報の内の少なくとも一部を備え、及び、上記一組の情報の上記第４の部分は、上記一組の情報の上記第１の部分の情報の内の少なくとも一部を備える。上記命令は、上記プロセッサに、上記第１のディスプレイパネル、上記第２のディスプレイパネル、及び上記第２のディスプレイパネルから第２の距離に位置する第３のディスプレイパネルにまたがる上記ディスプレイ領域上に上記第１の部分を表示することであって、上記第２の部分はさらに上記第２ディスプレイパネルと上記第３のパネルとの間の第２のギャップ領域に対応する情報を備える、上記第１の部分を表示することと、及び、上記第１のディスプレイパネル、上記第２のディスプレイパネル、及び上記第３のディスプレイパネルにまたがる上記ディスプレイ領域上に上記第３の部分を表示することであって、上記第４の部分はさらに上記第２ディスプレイパネルと上記第３のパネルとの間の上記第２のギャップ領域に対応する情報を備える、上記第３の部分を表示することと、を行わせるように構成された命令をさらに含む。上記命令は、上記プロセッサに、入力を受信することと、上記入力を使用して、上記第１のディスプレイパネルから上記第２のディスプレイパネルまでの上記第１の距離を決定することと、及び、上記第１の距離に基づいて、上記第３の部分の情報及び上記第４の部分の情報を決定することと、を行わせるように構成された命令をさらに含む。
【００１２】
システムの別の例は、第１のディスプレイパネルの少なくとも一部にまたがり且つ第２のディスプレイパネルの少なくとも一部にまたがるディスプレイ領域上に、一組の情報の第１の部分を表示するための手段であって、上記第１のディスプレイパネルは上記第２のディスプレイパネルから第１の距離に配置される、一組の情報の第１の部分を表示するための手段を含み、上記一組の情報は、境界寸法を持ち、及び、上記第１の部分は、上記第１のパネルと上記第２のパネルとの間のギャップ領域に対応する上記一組の情報の第２の部分を除外しており、上記第１の部分は、上記境界寸法を持つ。
【００１３】
そのようなシステムの実装は、以下の特徴の一つ以上を含むことができる。上記システムは、上記第１のディスプレイパネルの少なくとも一部及び上記第２のディスプレイパネルの少なくとも一部にまたがる上記ディスプレイ領域上に、上記一組の情報の第３の部分を表示するための手段を含み、上記一組の情報の上記第３の部分は、上記境界寸法を持つ上記第３の部分を有する、上記第１のディスプレイパネルと上記第２ディスプレイパネルとの間の上記ギャップ領域に対応する上記一組の情報の第４の部分を除外し、及び、上記一組の情報の上記第４の部分及び上記第２部分は、上記一組の情報の少なくとも部分的に異なる部分にある。上記システムは、上記一組の情報の上記第１の部分を表示している間は第１のグラフィックを表示するための手段であって、上記第１のグラフィックは、第１の視点を示す、第１のグラフィックを表示するための手段と、及び、上記一組の情報の上記第３の部分を表示している間は第２のグラフィックを表示するための手段であって、上記第２のグラフィックは、上記第１の視点とは異なる第２の視点を示す、第２のグラフィックを表示するための手段と、をさらに含む。上記第１の部分を表示している間に表示される上記第１のディスプレイグラフィックは、上記第１の視点の外観を提供し、及び、上記第３の部分を表示している間に表示される上記第２のグラフィックは、上記第２の視点の外観を提供する。上記第４の部分及び上記第２の部分は、排他的に異なる部分であり、上記第３の部分は、上記第２の部分の情報の内の少なくとも一部を備え、及び、上記第４の部分は、上記第１の部分の情報の内の少なくとも一部を備える。上記システムは、上記一組の情報の上記第１の部分を表示するか、上記一組の情報の上記第３の部分を表示するか、を判断するための手段をさらに含む。上記システムは、上記第１のディスプレイパネル、上記第２のディスプレイパネル、及び上記第２のディスプレイパネルから第２の距離に位置する第３のディスプレイパネルにまたがる上記ディスプレイ領域上に上記第１の部分を表示するための手段であって、上記第２の部分はさらに上記第２ディスプレイパネルと上記第３のパネルとの間の第２のギャップ領域に対応する情報を備える、上記第１の部分を表示するための手段と、及び、上記第１のディスプレイパネル、上記第２のディスプレイパネル、及び上記第３のディスプレイパネルにまたがる上記ディスプレイ領域上に上記第３の部分を表示するための手段であって、上記第４の部分はさらに上記第２ディスプレイパネルと上記第３のパネルとの間の上記第２のギャップ領域に対応する情報を備える、上記第３の部分を表示するための手段と、をさらに含む。上記システムは、入力を受信するための手段と、上記入力を使用して、上記第１のディスプレイパネルから上記第２のディスプレイパネルまでの上記第１の距離を決定するための手段と、及び、上記第１の距離を使用して、上記第３の部分の情報及び上記第４の部分の情報を決定するための手段と、をさらに含む。上記システムは、移動体通信デバイスを備える。
【００１４】
マルチパネルディスプレイの一例は、情報を表示するように構成された第１のディスプレイパネルと、上記第１のディスプレイパネルから距離を置いて配置された、情報を表示するように構成された第２のディスプレイパネルと、上記第１のディスプレイパネル及び上記第２のディスプレイパネルに通信可能に結合されたプロセッサと、を含み、上記プロセッサは、上記第１のディスプレイパネル及び上記第２のディスプレイパネルを使用して、上記第１のディスプレイパネルの少なくとも一部にまたがり且つ上記第２のディスプレイパネルの少なくとも一部にまたがるディスプレイ領域上に、一組の情報の第１の部分を表示するように構成され、上記一組の情報は、境界寸法を持ち、及び、上記第１の部分は、上記第１のパネルと上記第２のパネルとの間のギャップ領域に対応する上記一組の情報の第２の部分を除外しており、上記第１の部分は、上記境界寸法を持つ。
【００１５】
そのようなシステムの実装は、以下の特徴の一つ以上を含むことができる。上記プロセッサは、上記第１のディスプレイパネル及び上記第２のディスプレイパネルを使用して、上記第１のディスプレイパネルの少なくとも一部及び上記第２のディスプレイパネルの少なくとも一部にまたがる上記ディスプレイ領域上に、上記一組の情報の第３の部分を表示するようにさらに構成され、上記一組の情報の上記第３の部分は、上記境界寸法を持つ上記第３の部分を有する、上記第１のディスプレイパネルと上記第２ディスプレイパネルとの間の上記ギャップ領域に対応する上記一組の情報の第４の部分を除外し、及び、上記一組の情報の上記第４の部分及び上記第２部分は、上記一組の情報の少なくとも部分的に異なる部分にある。上記一組の情報の上記第１の部分を表示している間は第１のグラフィックを表示することであって、上記第１のグラフィックは、第１の視点を示す、第１のグラフィックを表示し、及び、上記一組の情報の上記第３の部分を表示している間は第２のグラフィックを表示することであって、上記第２のグラフィックは、上記第１の視点とは異なる第２の視点を示す、第２のグラフィックを表示する。上記第１の部分を表示している間に表示される上記第１のディスプレイグラフィックは、上記第１の視点の外観を提供し、及び、上記第３の部分を表示している間に表示される上記第２のグラフィックは、上記第２の視点の外観を提供する。上記システムは、上記プロセッサに通信可能に結合された視点トリガデバイスをさらに含み、上記視点トリガデバイスは、上記プロセッサへの指示を提供するように構成され、及び、上記プロセッサは、上記一組の情報の上記第１の部分を表示するか、上記一組の情報の上記第３の部分を表示するか、を判断するために、上記指示を使用するように構成される。上記視点トリガデバイスは、加速度計、網膜追跡デバイス、タッチパッド、タッチスクリーン、キーボード、またはボタンの少なくとも一つを備える。上記システムは、情報を表示するように構成された第３のディスプレイパネルをさらに含み、上記プロセッサは、上記第１のディスプレイパネル、上記第２のディスプレイパネル、及び第３のディスプレイパネルにまたがる上記ディスプレイ領域上に上記第１の部分を表示することであって、上記第２の部分はさらに上記第２ディスプレイパネルと上記第３のパネルとの間の第２のギャップ領域に対応する情報を備える、上記第１の部分を表示することと、及び、上記第１のディスプレイパネル、上記第２のディスプレイパネル、及び上記第３のディスプレイパネルにまたがる上記ディスプレイ領域上に上記第３の部分を表示することであって、上記第４の部分はさらに上記第２ディスプレイパネルと上記第３のパネルとの間の上記第２のギャップ領域に対応する情報を備える、上記第３の部分を表示することと、を行うようにさらに構成される。上記システムは、移動体通信デバイスを備え、上記第１のディスプレイパネル、上記第２のディスプレイパネル、及び上記第３のディスプレイパネルは、同一平面関係に配置されるように構成される。上記システムは、上記第１のディスプレイパネルと上記第２のディスプレイパネルとの間の上記距離の少なくとも一部を占める、上記第１及び第２のディスプレイパネルそれぞれの、第１及び第２のハウジングをさらに含む。上記システムは、上記第１のディスプレイパネル及び上記第２のディスプレイパネルに加えて、複数のディスプレイパネルをさらに含む。上記第１のディスプレイパネル、上記第２のディスプレイパネル、及び上記複数のディスプレイパネルは、一列又は２次元配列の何れかで配置される。
【００１６】
本明細書中に記載のアイテム及び／または技術は、以下の能力の内の一つまたはそれ以上を提供することができる。マルチディスプレイパネルに広がるユーザの視野の情報は、複数の視点の外観で提供されることができる。これらの視点は、ディスプレイパネル間のギャップのため以前には表示されていなかった情報が表示されるようにシフトされた表示情報となる。これは、ユーザがそれらの間にギャップを持つ複数のディスプレイパネルを効果的に使用して、まだ表示されなかったであろう情報を、その寸法を歪めることなく又はその寸法をわずかに歪めることなく、見ることができるようにする。
【図面の簡単な説明】
【００１７】
【図１】図１は、マルチパネルディスプレイを持つ携帯電話機の斜視図である。
【図２】図２は、複数台のモニタを有するコンピュータシステムの斜視図である。
【図３】図３は、２×２配列で大まかに配置された４枚のディスプレイパネルを有するマルチディスプレイパネルシステムの平面図である。
【図４】図４は、複数のディスプレイパネルを有するマルチパネルコンピュータシステムのブロック図である。
【図５】図５（Ａ）は、合成画像及びテキストの一部を表示する図４に示したマルチパネルディスプレイシステムの平面図である。図５（Ｂ）は、図５（Ａ）に表示された合成画像及びテキストの１つの部分である。図５（Ｃ）は、図５（Ａ）に表示されていない合成画像及びテキストの一部である。図５（Ｄ）は、図５（Ａ）に表示された合成画像及びテキストの別の部分である。
【図６】図６（Ａ）は、合成画像の別の部分を表示する図４に示されたマルチパネルディスプレイシステムの平面図である。図６（Ｂ）は、図６（Ａ）に表示された合成画像及びテキストの一部分である。図６（Ｃ）は、図６（Ａ）に表示されていない合成画像及びテキストの一部である。図６（Ｄ）は、図６（Ａ）に表示された合成画像及びテキストの別の部分である。
【図７】図７は、マルチパネルディスプレイシステムを使用して情報を表示するための方法のブロック流れ図である。
【図８】図８は、マルチパネルディスプレイシステムを使用して情報を表示するための別の方法のブロック流れ図である。
【発明を実施するための形態】
【００１８】
本明細書で説明される技術は、複数のディスプレイパネルにわたって情報を表示するための様々なメカニズムを提供する。複数のディスプレイパネルにわたって表示される情報（グラフィックスやテキストなど）の歪みを低減または排除するために、ディスプレイパネル間のギャップが補償される。例えば、単一のディスプレイスクリーンを使用して表示されるときに５インチ（約１２．７ｃｍ）×２インチの寸法を有するグラフィックは、複数のディスプレイスクリーンにわたって表示されるとき、ほぼ５インチ×２インチのままである。このように、グラフィックが一つのディスプレイパネルに表示されても、複数のディスプレイパネルにわたって表示されても、そのグラフィックは同じ寸法を維持するだろう。
【００１９】
ディスプレイパネル間のギャップに対応する画像情報（即ち、表示されるつもりであった情報）は、表示されない。或る視点でのディスプレイパネル間のギャップのため省略された情報は、別の視点では表示される。これらの視点は、ユーザによって切り替えられることができ、ディスプレイパネル間のギャップのため表示されなかった情報の一部または全てを見ることをユーザに許すことができる。例えば、グラフィックがパネル間に１インチのギャップを有する２つのディスプレイパネルにわたって表示される場合、グラフィックの１インチ幅の部分は、第１の視点では表示されない。第２の視点では、第１の視点で省略されたグラフィックの部分が表示される。これに伴って、ディスプレイパネル間のギャップに対応するグラフィックの異なる部分が省略される。
【００２０】
コンピュータモニタだけではなく、ディスプレイパネル間に一つ又は複数のギャップが存在する多くの状況が存在する。例えば、一部の携帯電話機は、複数のディスプレイパネルを持っている。携帯電話機の構成により、それらのディスプレイパネル同士は、直接隣接はしていない。むしろ、フレーム、ケース、空きスペース、または幾つかの他の物体が、ディスプレイパネル間の領域を占有している。この領域は、情報を表示することができない。
【００２１】
図１は、マルチパネルディスプレイを持つ折り畳み式の携帯電話機１００の一実施形態を示している。携帯電話機１００は、セクション１１０及びディスプレイパネル１２０を含む。ディスプレイパネル１２０は、セクション１１０−１に配されたディスプレイパネル１２０−１、セクション１１０−２に配されたディスプレイパネル１２０−２、及び、セクション１１０−３に配されたディスプレイパネル１２０−３を含む。携帯電話機１００は、セクション１１０−１及び１１０−３が、セクション１１０−２と同一平面である状態から、セクション１１０−２を覆う関係に、折り畳まれる即ち移動されることができるように構成されている（セクション１１０−１についてセクション１１０−２を覆う関係を破線で示している）。
【００２２】
ディスプレイパネル１２０がテキスト及び／またはグラフィックスなどの情報を表示するとき、その情報は、ディスプレイパネル１２０のうちの単一のディスプレイパネル上に、或いは、２つ又は全てのディスプレイパネル１２０にまたがって、表示されることができる。開かれたとき、ディスプレイパネル１２０−１は、ディスプレイパネル１２０−２に直接に隣接しない。同様に、ディスプレイパネル１２０−２は、ディスプレイパネル１２０−３に直接に隣接しない。情報が表示されることができないギャップ領域１３０が、ディスプレイパネル１２０−１とディスプレイパネル１２０−２との間に、及び、ディスプレイパネル１２０−２とディスプレイパネル１２０−３との間に、存在している。携帯電話機１００上のギャップ領域１３０は、携帯電話機１００のフレームの部分を含む。ディスプレイパネル１２０間のギャップ領域１３０のサイズは、携帯電話機１００の一部であるディスプレイパネル１２０のためには、変化しない。したがって、歪み無しでディスプレイパネル１２０の複数のディスプレイパネルにわたって表示されるべき情報のためには、情報の全てを表示可能とするためにマルチ視点が使用される。携帯電話機１００は、携帯電話機の一例を表しており、ディスプレイパネル間にギャップ領域を有するマルチディスプレイパネルを持つ携帯電話機の他の例も可能である。さらに、パーソナルデジタルアシスタント、電子書籍リーダ、ハンドヘルドテレビ、タブレットコンピュータ、等々のような、ディスプレイパネル間のギャップを有するマルチディスプレイパネルを持つハンドヘルドデバイスの他の形態も可能である。
【００２３】
ギャップがディスプレイパネル間に存在する別の状況は、フレームを持つ複数台のモニタが同一コンピュータに接続されている場合である。図２は、複数台のモニタに接続されているコンピュータシステム２００の一実施形態を示している。コンピュータシステム２００は、タワー２１０、キーボード２２０、及び、マウス２３０を含む。コンピュータシステム２００はまた、モニタ２４０−１、モニタ２４０−２及びモニタ２４０−３を含む、モニタ２４０も含む。２台のモニタまたは３台以上のモニタを持つコンピュータシステムも可能である。モニタ２４０は、互いに直接隣接して配置されている。モニタ２４０のフレームのため、モニタ２４０のディスプレイパネル間にはギャップ領域が存在する。
【００２４】
モニタ２４０が互いに直接隣接して配置されているとはいえ、これは常にそうではない。モニタ２４０は、モニタ２４０間に空域（または物体）があるように、離れて移動されることができる。これは、より大きくなるディスプレイパネル間のギャップ領域になり、モニタ２４０の異なるセット間に存在するギャップ領域のサイズ／形状とは異なる可能性がある。コンピュータモニタだけではなく、他のタイプのマルチディスプレイパネルの使用は、ディスプレイパネル間のギャップを生じ得る。例えば、複数台のテレビスクリーン、映画スクリーン、アリーナディスプレイ、及び、車両のディスプレイ（例えば、ナビゲーションシステム及び計器パネル）が、使用されることができる。ギャップがディスプレイパネル間に存在するディスプレイパネルの多くの配置が今現在、存在し、また、将来的に作られることができる。
【００２５】
ディスプレイパネルは一列に配置され得るとはいえ、ディスプレイパネルはまた、任意の構成で配置されることができる。図３は、２×２構成で大まかに配置された４つのディスプレイパネルを持つマルチディスプレイパネルシステム３００を示している。マルチディスプレイパネルシステム３００は、（ディスプレイデバイス３１０−１乃至３１０−４を含む）ディスプレイデバイス３１０を含む。ディスプレイデバイス３１０の各々は、各ディスプレイデバイス３１０のディスプレイパネルを完全にまたは部分的に取り囲む、フレームまたは他の境界の形態を含む。各ディスプレイパネルは、情報を表示するように構成されている。したがって、２つのディスプレイデバイス３１０が、互いに直接に隣接して配置されたとき、垂直方向に、水平方向に、または何か任意の構成で配置されたかどうかで、ギャップ領域が、ディスプレイパネル間に存在することになるだろう。
【００２６】
図３に示されるように、ディスプレイデバイス３１０−２及び３１０−３は、ディスプレイデバイス３１０−１に直接隣接している。ディスプレイデバイス３１０−４は、ディスプレイデバイス３１０−１よりも、ディスプレイデバイス３１０−２及び３１０−３から大きい距離に位置している。ギャップ領域３７０は、ディスプレイデバイス３１０のフレームが両側よりも上下の方が大きいので、ギャップ領域３５０よりも大きい。ギャップ領域３５０、３７０は、ディスプレイデバイス３１０−１、３１０−２及び３１０−３が直接に隣接しているので、ディスプレイデバイス３１０−２と３１０−４との間に及びディスプレイデバイス３１０−３と３１０−４との間に追加のスペースがある間は、ギャップ領域３８０、３６０よりも小さい。
【００２７】
野球のボールの画像３２０は、ディスプレイデバイス３１０の４つのディスプレイパネル全てにまたがっている。マルチパネルディスプレイシステム３００は、画像３２０がディスプレイデバイス３１０のディスプレイパネルの１つ、２つ、３つ、または４つ全てに表示されるかどうかにかかわらず、画像３２０の寸法が変わらない（または実質的に一定である）ように構成されている。したがって、画像３２０の寸法（例えば、高さ３３０及び幅３４０）は、対応するギャップ領域３５０、３６０、３７０、３８０が一定のままである、或いは、変更が止められている限りは、画像３２０を表示するために使用するディスプレイパネルの数に関係なく、且つ、様々なギャップ領域のサイズに関係なく、実質的に不変に維持されるだろう。このように、画像３２０が複数のディスプレイパネルにまたがる場合、画像３２０の一つ以上の部分が見えない。図示したように、ギャップ領域３５０、３６０、３７０及び３８０は、画像３２０の一部が表示されるであろう場所に対応する位置を、それぞれ占めている。このように、ユーザは、画像３２０が複数のディスプレイパネルにまたがっている限りは、一度に画像３２０全体を見ることはできない。ユーザがギャップ領域３５０、３６０、３７０、３８０の位置に対応する画像３２０の部分を見ることができるようにするために、別の視点の外観をユーザが提示されるように、画像３２０はシフトされる。
【００２８】
図３のディスプレイデバイス３１０のディスプレイパネル、図２のモニタ２４０のディスプレイパネル、図１のディスプレイパネル１２０、などのディスプレイパネルは、表示されるものを駆動するコンピュータ化されたシステムの一部であることができる。図４を参照すると、コンピュータシステム４００は、キーボード４１４、マウス４１６、視野トリガデバイス４１５、プロセッサ４３０、メモリ４３２、入力デバイスインターフェイス４３４、ビデオドライバ及びインターフェイス４３６、及び、ディスプレイ４２０、４２２を含む。（例えば携帯電話機の設定のための、例えば物理的なキーボードやマウスの無い）示された以外の構成も可能である。入力デバイスインターフェイス４３４は、キーボード４１４及びマウス４１６に接続され、例えば、文字（英字、数字、記号）及び選択（例えば、マウスクリック）に関するそれらからの入力を受信するように構成される。プロセッサ４３０は、好ましくは、例えば、インテル（登録商標）またはＡＭＤ（登録商標）によって作られたものなどの中央演算処理装置（ＣＰＵ）、マイクロコントローラ、特定用途向け集積回路（ＡＳＩＣ）、等々のインテリジェントなハードウェアデバイスである。メモリ４３２は、ランダムアクセスメモリ（ＲＡＭ）及びリードオンリメモリ（ＲＯＭ）を含む。メモリ４３２は、一時的なものではない。メモリ４３２は、好ましくは、実行したときにプロセッサ４３０に本明細書に記載の様々な機能を実行させるように構成された命令を含む、コンピュータ可読のコンピュータ実行可能なソフトウェアコード４３３を格納している。あるいは、ソフトウェア４３３は、プロセッサ４３０によって直接実行することはできないが、例えばコンパイルされて実行されたときに、プロセッサ４３０に説明された機能を実行させるように構成されることができる。ビデオドライバ及びインターフェイス４３６は、ディスプレイ４２０、４２２に接続され、本明細書に記載されるようにディスプレイ４２０、４２２のスクリーン上にコンテンツを表示するために、ディスプレイ４２０、４２２に情報を提供するように構成されている。
【００２９】
入力デバイスインターフェイス４３４に接続されている別の入力デバイスは、視点トリガデバイス４１５である。視点トリガデバイス４１５は、ディスプレイ４２０、４２２及び４２４に表示された情報が別の視点の外観を提供するように変更される時を決定するために使用される。視点トリガデバイス４１５は、様々な異なる形態の入力デバイスの何れか又は組み合わせであることができる。例えば、ここで、視点トリガデバイス４１５は、加速度計である。コンピュータシステム４００を振ったり、傾けたりすることによるような、ユーザがコンピュータシステム４００を動かすと、視点トリガデバイス４１５がトリガされ、ディスプレイ４２０、４２２、４２４上に表示された視点の外観が変更させられることができる。
【００３０】
加速度センサだけでなく（または、それに加えて）、視点トリガデバイス４１５は、ボタン、キーボード４１４、（ディスプレイ４２０、４２２に一体化され得る）タッチスクリーン、マウス４１６、ユーザの眼及び／または体の動きをモニタする追跡デバイス、それらの任意の２つ又はそれ以上の組み合わせ、あるいは、他のデバイスまたはデバイスの組み合わせ、であることができる。
【００３１】
図５（Ａ）を参照すると、システム４００の一例は、マルチパネルディスプレイシステム５００である。マルチパネルディスプレイシステム５００は、２つのディスプレイデバイス５００−１及び５００−２を含む。ディスプレイデバイス５１０は、情報を表示しないフレーム５１２と、情報を表示するように構成されたディスプレイパネル５１４と、を持っている。ディスプレイデバイス５１０は、情報、ここでは、（フットボールのクォーターバックの）合成画像５３０及び（「A Football Quarterback（フットボールクオーターバック）」を提示している）テキスト５４０の一部、を表示する。画像５３０及びテキスト５４０は、ディスプレイパネル５１４−１とディスプレイパネル５１４−２にまたがっている。画像５３０及びテキスト５４０を丁度含む矩形領域５５５は、ディスプレイパネル５１４にわたった画像５３０及びテキスト５４０の移動の間、一定のままである。さらには又は或いは、画像５３０及びテキスト５４０の境界線５５８は、移動の間、一定のままである。ディスプレイパネル５１４間のギャップ領域５３５のため、画像５３０及びテキスト５４０のギャップ領域５３５に対応する部分は、表示されない。
【００３２】
グラフィック５５０−１は、三次元ボックスに似ている。グラフィック５５０−１は、第１の視点が画像５３０及びテキスト５４０を観察するために使用されている外観を提供している。グラフィック５５０−１は、画像５３０及びテキスト５４０を垂直に見ている視点の外観を提供している。
【００３３】
視点トリガデバイス５２０は、網膜や眼の追跡デバイスである。トリガデバイス５２０は、ユーザの眼及び／またはユーザが見ている方向の動きを検出する。ユーザの眼及び／または見ている方向の移動に基づいて、ディスプレイデバイス５１０は、表示された視点の外観を変更するようにトリガされることができる。視点の変更は、トリガデバイス５２０からの指示に依存している。上記指示は、或る視点から次の視点への、わずかな変化から大きな変化に、異なる視点の範囲（例えば、異なる角度、異なる知覚距離）を誘発することができる。プロセッサ４３０は、トリガデバイス５２０からの指示に応じて、及び、それに基づいて、ディスプレイパネル５１４にどの情報を表示するかを選択するように構成される。選択された情報は、画像５３０及びテキスト５４０の選択された部分、及び、グラフィック５５０の外観を含む。選択された情報は、トリガデバイス５２０によって支持されたような、所望の視点に基づいている。
【００３４】
図５（Ｂ）乃至図５（Ｄ）を参照すると、合成画像５３０及びテキスト５４０は、部分５６０−１、５７０−１、５８０−１を含む。部分５６０−１は、ディスプレイパネル５１４−１に表示される。画像５３０及びテキスト５４０の部分５７０−１は、ディスプレイパネル５１４−１またはディスプレイパネル５１４−２の何れにも表示されない。画像５３０及びテキスト５４０のこの部分は、ディスプレイパネル５１４間のギャップ領域５３５のため表示されない画像５３０及びテキスト５４０の部分である。画像５３０及びテキスト５４０の部分５８０−１は、ディスプレイパネル５１４−２に表示される。
【００３５】
図６（Ａ）を参照すると、図５（Ａ）のマルチパネルディスプレイシステム５００は、図５（Ａ）の視点とは異なる視点の外観を提供するようにシフトされた、画像５３０及びテキスト５４０を表示する。領域５５５は、図６（Ａ）と図５（Ａ）とおいて、（少なくともほぼ）同じである。ディスプレイパネル５１４−１及び５１４−２は、以前は表示されていなかった情報（図５（Ｃ）の部分５７０−１）が今度は表示されるように、図５（Ａ）に関して変更された視点の外観を有する画像５３０及びテキスト５４０を表示する。
【００３６】
グラフィック５５０−２は、三次元ボックス（並びに画像５３０及びテキスト５４０）が図５（Ａ）とは異なる角度から見ているような印象を与えるために、図５（Ａ）のグラフィック５５０−１の変更されたバージョンである。図５（Ａ）のグラフィック５５０−１が画像５３０及びテキスト５４０を垂直に見ている外観を作っているのに対して、図６（Ａ）のグラフィック５５０−２は、画像５３０及びテキスト５４０が、垂直から離れて、部分的に側面から見られた外観を提供している。
【００３７】
図６（Ｂ）乃至図６（Ｄ）を参照すると、合成画像５３０及びテキスト５４０は、部分５６０−２、５７０−２、５８０−２を含む。画像５３０及びテキスト５４０の部分５６０−２は、ディスプレイデバイス５００−１を使用して表示されている。画像５３０及びテキスト５４０の部分５６０−２の一部はまた、図５（Ｂ）の部分５６０−１にもあるとはいえ、部分５６０−１の一部がシフトされて、現在は部分５７０−２中になっている。ディスプレイデバイス５００−２を使用して表示される部分５８０−２は、図５（Ｄ）の部分５８０−１の全ての情報と、部分５７０−１からの情報の全てと、を含んでいる。図６（Ｃ）の部分５７０−２は、図６（Ａ）のディスプレイパネル５１４−１またはディスプレイパネル５１４−２の何れにも表示されない画像５３０及びテキスト５４０の部分を含む。部分５７０−２は、ディスプレイパネル５１４間のギャップ領域５３５のため表示されない画像５３０及び画像５４０の部分に対応している。
【００３８】
図６（Ｃ）の部分５７０−２及び図５（Ｃ）の部分５７０−１は、画像５３０及びテキスト５４０の異なる部分である。このように、視点の外観が図５（Ａ）の視点から図６（Ａ）の視点に変更されたとき、以前に表示されていなかった情報が表示されるようになり、最初に表示されていた幾つかの情報が表示されなくなる。
【００３９】
図５（Ａ）及び図６（Ａ）が２つの視点の外観を提供するディスプレイデバイス５１０を示しているとはいえ、追加の視点の外観が提供されることができる。さらに、図５（Ａ）のグラフィック５５０−１から図６（Ａ）のグラフィック５５０−２への遷移は、水平方向にシフトする視点の外観を提供し、視点は、垂直に移動する又は回転するように、または、水平移動、及び／または垂直移動、及び／または回転移動、の組み合わせとして移動するように、見えてくることができる。視点はまた、画像５３０及びテキスト５４０に近づくまたはそれらから離れる移動の外観を提供するために、シフトされるようにも見えてくることもできる。
【００４０】
図５（Ａ）及び図６（Ａ）のグラフィック５５０は、三次元ボックスに似ていることによって、異なった視点の印象を提供している。三次元ボックスに似ているグラフィック以外の別のグラフィックスは、異なる視点の外観を示すために使用されることができる。例えば、文字、数字、及び／または記号が、視点が表示されていることを示すことができる。例えば、グラフィックスは、色の変化を除いて同じままにすることができる。さらに又は或いは、グラフィックは、視点の外観の変化を示すことを提供しないことができる。さらに、マルチパネルディスプレイシステム５００によって放射される音は、視点の変更を示すために使用されることができる。
【００４１】
図５（Ａ）及び図６（Ａ）は、視点変更の外観を与えるためにシフトされた画像５３０及びテキスト５４０を示している。そのようなシフトは、視点をシフトすることの外観を与えるために、３Ｄグラフィックスを必要としないことができる。例えば、３Ｄグラフィックスアクセラレーションは、異なる視点の外観を提供するために、画像５３０及びテキスト５４０を操作するために使用されることができる。
【００４２】
図５（Ｃ）及び図６（Ｃ）は、画像５３０及びテキスト５４０の異なる部分を表している。この例では、画像５３０及びテキスト５４０の情報の全ては、画像５３０及びテキスト５４０の特定の部分が図５（Ａ）、図６（Ａ）又はその両方の視点においてあるかどうかを、示された２つの視点の間で表示される。他の例では、視点の外観は、組み合わされた視点で表示されるべき情報の全てのためには不十分である量だけシフトされることができる。このような場合には、部分５７０−１、５７０−２のような表示されていない情報の部分は、同じ情報の一部を含むだろう。
【００４３】
図７を参照すると、さらに図１乃至図６を参照して、複数のディスプレイパネルにわたって情報を表示するプロセス７００は、示される段階を含む。しかしながら、プロセス７００は、一例でしかなく、限定するものではない。プロセス７００は、例えば、段階を追加したり、削除したり、並べ替えたり、結合したり、及び／または同時に実行したりすることによって、変更されることができる。
【００４４】
段階７１０で、一組の情報の一部が、第１のディスプレイパネルの少なくとも一部をまたいで、且つ、第２のディスプレイパネルの少なくとも一部をまたいで、表示される。上記一組の情報は、情報が１つまたは１つ以上のディスプレイパネルに表示されるかどうか、及び、どのように表示されるか、にかかわらず、情報の寸法が一定またはほぼ一定のままであるように、固定された寸法、例えば境界線を持っている。上記一組の情報の一部は、表示されない。表示されない情報のこの部分は、第１のディスプレイパネルと第２のディスプレイパネルとの間のギャップ領域に対応している。
【００４５】
段階７２０で、第１のディスプレイの少なくとも一部にまたがり且つ第２のディスプレイパネルの少なくとも一部にまたがる上記一組の情報の異なる部分が表示される。段階７１０で表示されなかった上記一組の情報の部分は、段階７２０で、少なくとも部分的に表示される。上記一組の情報の一部は、段階７２０では表示されない。再びここで、情報のこの部分は、第１のディスプレイパネルと第２のディスプレイパネルとの間のギャップ領域に対応している。この表示されない部分は、段階７２０で、以前に表示されなかった情報とは、少なくとも部分的に異なっている。
【００４６】
別の視点の外観を示すために、段階７１０及び７２０で、指標がユーザに提供されることができる。したがって、段階７２０が実行されるとき、ユーザは、段階７１０での視点の外観とは上記一組の情報の異なる視点で、どのように見えるかを見ることができる。上記指標は、異なる視点の外観を与えるために視覚的な支援や視覚的なガイドを提供することができ、及び／または、異なるように情報をラベル付け（例えば、「フロントビュー」対「サイドビュー」）することができる。
【００４７】
図８を参照すると、さらに図１乃至図６を参照して、複数のディスプレイパネルにわたって情報を表示するプロセス８００は、示された段階を含む。しかしながら、プロセス８００は、一例でしかなく、限定するものではない。プロセス８００は、例えば、段階を追加したり、削除したり、並べ替えたり、結合したり、及び／または同時に実行したりすることによって、変更されることができる。
【００４８】
段階８１０で、第１のディスプレイパネルと第２のディスプレイパネルとの間の距離を示す入力が受信される。段階８１０は、ディスプレイパネル間の距離が固定されていない場合には、実行されることが好ましい。例えば、ユーザは、モニタ２４０を距離を変えて配置することができる。このような状況では、ユーザは、第１のディスプレイパネルと第２のディスプレイパネルの間のギャップ領域（または、２つより多くのディスプレイパネルが使用される場合には全てのギャップ）のサイズを示す（距離、ディスプレイデバイスのモデル番号（複数可）などの）入力を提供する。段階８１０は、ギャップ領域１３０のように、ギャップ領域のサイズが固定されている場合は、省略されることができる。入力は、ユーザ提供の距離以外にすることができる。例えば、入力は、それからフレーム寸法が決定されることができる（例えば、メモリに格納されているルックアップテーブルをアクセスするプロセッサによって発見される）デバイスのモデル番号（または複数の番号）であることができる。ギャップの寸法が決定または部分的に決定されることができる、さらに別の入力が可能である。フレームの寸法が決定されることができる、フレームの間隙を示す情報が供給されることができる。さらに、ディスプレイデバイスの一様でない間隙を示す情報（例えば、異なった水平及び垂直間隙、変化する垂直間隙及び／または変化する水平間隙、等々）が提供されることができる。
【００４９】
段階８２０で、第１のディスプレイパネルの少なくとも一部にまたがり且つ第２のディスプレイパネルの少なくとも一部にまたがる一組の情報の一部が表示される。表示されなかった上記一組の情報の他の部分は、第１のディスプレイパネルと第２のディスプレイパネルとの間のギャップ領域に対応している。段階８３０で、段階８２０で示された上記一組の情報の一部が表示されている間、第１の視点を示すグラフィックが表示される。このグラフィックは、三次元ボックスの外観を提供することができる。
【００５０】
段階８４０で、視点を変更するために視点トリガデバイスから指示が受信される。視点トリガデバイスから受信した指示に基づいて、段階８２０及び８３０それぞれで表示された、上記一組の情報の部分と視点を示すグラフィックとが、変更される。例えば、加速度センサは、加速度を検出し、システム（例えば、携帯電話機）の加速度の大きさと方向として上記指示を提供する。
【００５１】
段階８５０で、第１のディスプレイパネルの少なくとも一部にまたがり且つ第２のディスプレイパネルの少なくとも一部にまたがる一組の情報の（段階８２０に関して）異なる部分が、表示される。上記一組の情報の上記異なる部分は、トリガデバイスからの指示に基づいて（例えば、プロセッサによって）選択される。上記一組の情報のこの部分は、段階８２０で表示されなかった上記一組の情報の部分の少なくとも一部を含む。段階８２０に関して、上記一組の情報の別の（少なくとも部分的に異なる）部分は、段階８５０では表示されない。上記一組の情報のこの表示されない部分は、第１のディスプレイパネルと第２のディスプレイパネルとの間のギャップ領域に対応している。段階８２０で表示された上記一組の情報の部分の一部はまた、段階８５０で、表示されることもできる。段階８６０で、段階８３０で表示された第１の視点を示すグラフィックが、第２の視点を示すグラフィックに変更される。グラフィックが三次元ボックスの外観を与えた場合、グラフィックの形状は、三次元ボックスが別の角度及び／又は距離から見られたようにそれが見えるように、変更される。
【００５２】
方法８００は、さらなる視点の変更のために段階８４０に戻る。（例えば、電話機の傾斜、ユーザの眼の移動、等）別の所望の視点の新しい指示が受信されると、表示された視点が変更される。これは、画像が削除される、コンピュータシステムがオフにされる、等々のような、リセットイベントが発生するまで継続する。リセットが発生すると、方法８００は、段階８１０で再開するだろう。
【００５３】
上述の方法、システム、及びデバイスは、例示であり、限定するものではない。様々な実施形態は、必要に応じて、様々な手順またはコンポーネントを、省略、代替、または追加することができる。例えば、特定の実施形態に関して説明された機能は、様々な他の実施形態に組み合わせることができる。別個のものである或いは異なる実施形態中にあるとして上述された異なる態様及びエレメントは、組み合わされることができる。
【００５４】
具体的な詳細は、例示の構成及び実装の完全な理解を提供するために、説明中に与えられている。他の例は、これらの具体的な詳細を使用しても良いし、使用しなくても良い。例えば、周知の回路、プロセス、アルゴリズム、構造、及び技術は、説明を不明瞭にしないために不必要な詳細なしで示されている。
【００５５】
連続したプロセスで上述された動作は、異なる順序で実行されることができ、動作は、説明されたプロセスから省略される又は追加されることができ、及び／または同時に実行されることができる。さらに、上述されたプロセスは、ハードウェア、プロセッサによって実行されるソフトウェア、ファームウェア、ミドルウェア、マイクロコード、ハードウェア記述言語、またはそれらの任意の組合せによって実装されることができる。ソフトウェア、ファームウェア、ミドルウェア、またはマイクロコードで実装された場合、プログラムコードまたは動作を実行するためのコードセグメントは、記録媒体などの非一時的なコンピュータ可読媒体に格納されることができる。一つ以上のプロセッサは、適切なタスクを実行するために、ソフトウェアを実行することができる。
【００５６】
様々な変更、代替構成、及び等価物は、開示の精神から逸脱することなしに使用されることができる。例えば、上述されたエレメントは、他のルールが上記説明に優先することができる、さもなければ上記説明を変更することができる、より大規模なシステムのコンポーネントであることができる。また、幾つかのステップが、上記のエレメントが考慮される前に、間に、或いは後に、着手されることができる。したがって、上記の説明は、開示を制限するものではなく、且つ、特許請求の範囲の境界を定義するものではない。
【００５７】
他の例及び実装は、上記開示及び添付の特許請求の範囲の範囲及び精神の範囲内である。機能を実装する特徴は、機能の部分が物理的に異なるロケーションに実装されるように分配されることを含む、様々なポジションに物理的に配置されることができる。
【００５８】
また、本明細書中で使用されるように、特許請求の範囲中に含む、「少なくとも一つ」で始まる項目のリストで使用されるような「または」は、他えば、「少なくとも一つのＡ，ＢまたはＣ」のリストがＡまたはＢまたはＣまたはＡＢまたはＡＣまたはＢＣまたはＡＢＣ（即ち、Ａ及びＢ及びＣ）を意味するような択一的なリストを示す。
【００５９】
さらに、１つより多い発明が開示されることができる。
【図１】
2013510342.tif 000003
【図２】
2013510342.tif 000004
【図３】
2013510342.tif 000005
【図４】
2013510342.tif 000006
【図５】
2013510342.tif 000007
【図６】
2013510342.tif 000008
【図７】
2013510342.tif 000009
【図８】
2013510342.tif 000010
【国際調査報告】
2013510342.tif 000011
2013510342.tif 000012
2013510342.tif 000013
2013510342.tif 000014
2013510342.tif 000015